(57)【特許請求の範囲】
【請求項１】
並列に接続され、入力電力を電圧変換して負荷に出力する複数の電力変換器と、
前記電力変換器の出力量に基づいて、前記複数の電力変換器の動作数を切り替える制御部と、を有し、
前記制御部は、
前記負荷の負荷変動率が第１負荷変動率である場合には、前記電力変換器の出力量が第１出力量であるときに前記複数の電力変換器の動作数を切り替え、
前記負荷の負荷変動率が前記第１負荷変動率よりも大きい第２負荷変動率である場合には、前記電力変換器の出力量が前記第１出力量よりも小さい第２出力量であるときに前記複数の電力変換器の動作数を切り替える、
電源装置。
【請求項２】
前記制御部は、
前記負荷の負荷変動率が前記第１負荷変動率である場合には、前記電力変換器の出力量が前記第１出力量を示す第１切替用閾値を超えたときに前記複数の電力変換器の動作数を切り替え、
前記負荷の負荷変動率が前記第２負荷変動率である場合には、前記電力変換器の出力量が前記第２出力量を示す第２切替用閾値を超えたときに前記複数の電力変換器の動作数を切り替える、
請求項１に記載の電源装置。
【請求項３】
前記負荷は補機であり、
前記補機は、少なくとも鉛バッテリを含み、
前記複数の電力変換器は、ＤＣ／ＤＣコンバータであり、リチウムイオンバッテリからの入力電力を電圧変換して前記鉛バッテリに出力する、
請求項１または２に記載の電源装置。
【請求項４】
前記制御部は、
前記複数の電力変換器のうち動作中の電力変換器の出力電流に基づいて前記負荷変動率を算出する、
請求項１から３のいずれか１項に記載の電源装置。
【請求項５】
前記制御部は、
前記補機から、前記補機の動作状況を示す情報を受け取り、
前記情報に基づいて前記負荷変動率を算出する、
請求項３に記載の電源装置。
【請求項６】
前記第１負荷変動率は、前記電力変換器の出力量が前記第１出力量であるときに前記電力変換器の動作数を増加させはじめて、前記電力変換器の動作数を増加させる切り替えに必要な切替時間の終了時に、動作中の前記電力変換器の最大出力量を超えない値であり、
前記第２負荷変動率は、前記電力変換器の出力量が前記第１出力量であるときに前記電力変換器の動作数を増加させはじめて、前記電力変換器の動作数を増加させる切り替えに必要な切替時間の終了時に、動作中の前記電力変換器の最大出力量を超える値である、
請求項１に記載の電源装置。
【請求項７】
前記第２出力量は、前記負荷が前記第２負荷変動率で変動した場合において、前記電力変換器の出力量が前記第２出力量であるときに前記電力変換器の動作数を増加させはじめた場合に、前記電力変換器の動作数を増加させる切り替えに必要な切替時間の終了時点で、動作中の前記電力変換器の最大出力量を超えない値である、
請求項６に記載の電源装置。
【請求項８】
並列に接続され、入力電力を電圧変換して負荷に出力する複数の電力変換器の動作数を、前記電力変換器の出力量に基づいて切り替える電源装置の制御方法であって、
前記負荷の負荷変動率が第１負荷変動率である場合には、前記電力変換器の出力量が第１出力量であるときに前記複数の電力変換器の動作数を切り替え、
前記負荷の負荷変動率が前記第１負荷変動率よりも大きい第２負荷変動率である場合には、前記電力変換器の出力量が前記第１出力量よりも小さい第２出力量であるときに前記複数の電力変換器の動作数を切り替える、
電源装置の制御方法。
【請求項９】
並列に接続され、入力電力を電圧変換して負荷に出力する複数の電力変換器の動作数を、前記電力変換器の出力量に基づいて切り替える電源装置のコンピュータに、
前記負荷の負荷変動率が第１負荷変動率である場合には、前記電力変換器の出力量が第１出力量であるときに前記複数の電力変換器の動作数を切り替え、前記負荷の負荷変動率が前記第１負荷変動率よりも大きい第２負荷変動率である場合には、前記電力変換器の出力量が前記第１出力量よりも小さい第２出力量であるときに前記複数の電力変換器の動作数を切り替える処理を実行させる、
電源装置制御プログラム。
【発明の詳細な説明】
【技術分野】
【０００１】
本発明は、電源装置、電源装置の制御方法、および電源装置制御プログラムに関する。
【背景技術】
【０００２】
例えば、特許文献１、２には、並列に接続され、電源からの入力電力を電圧変換して負荷へ出力する複数の電力変換器を備え、負荷の大きさに応じて電力変換器の動作数を切り替える電源装置が開示されている。
【先行技術文献】
【特許文献】
【０００３】
【特許文献１】特開平４−３３５２２号公報
【特許文献２】特開２００３−１９９２０１号公報
【発明の概要】
【発明が解決しようとする課題】
【０００４】
上述した電源装置では、低負荷の場合には、高効率を実現するため、例えば１つの電力変換器のみを動作させる。しかしながら、その場合において急峻な負荷上昇（例えば、電力変換器からの電力供給を受ける補機の消費電力量の増加）が生じると、オーバーロード（過負荷）となるおそれがある。オーバーロードが発生すると、例えば、電力変換器から電力供給を受ける機器が正常に動作しなくなる。
【０００５】
本発明の目的は、低負荷における高効率を実現しつつ、急峻な負荷上昇が生じた際のオーバーロードを防止することができる電源装置、電源装置の制御方法、および電源装置制御プログラムを提供することである。
【課題を解決するための手段】
【０００６】
本発明の一態様に係る電源装置は、並列に接続され、入力電力を電圧変換して負荷に出力する複数の電力変換器と、前記電力変換器の出力量に基づいて、前記複数の電力変換器の動作数を切り替える制御部と、を有し、前記制御部は、前記負荷の負荷変動率が第１負荷変動率である場合には、前記電力変換器の出力量が第１出力量であるときに前記複数の電力変換器の動作数を切り替え、前記負荷の負荷変動率が前記第１負荷変動率よりも大きい第２負荷変動率である場合には、前記電力変換器の出力量が前記第１出力量よりも小さい第２出力量であるときに前記複数の電力変換器の動作数を切り替える。
【０００７】
本発明の一態様に係る電源装置の制御方法は、並列に接続され、入力電力を電圧変換して負荷に出力する複数の電力変換器の動作数を、前記電力変換器の出力量に基づいて切り替える電源装置の制御方法であって、前記負荷の負荷変動率が第１負荷変動率である場合には、前記電力変換器の出力量が第１出力量であるときに前記複数の電力変換器の動作数を切り替え、前記負荷の負荷変動率が前記第１負荷変動率よりも大きい第２負荷変動率である場合には、前記電力変換器の出力量が前記第１出力量よりも小さい第２出力量であるときに前記複数の電力変換器の動作数を切り替える。
【０００８】
本発明の一態様に係る電源装置制御プログラムは、並列に接続され、入力電力を電圧変換して負荷に出力する複数の電力変換器の動作数を、前記電力変換器の出力量に基づいて切り替える電源装置のコンピュータに、前記負荷の負荷変動率が第１負荷変動率である場合には、前記電力変換器の出力量が第１出力量であるときに前記複数の電力変換器の動作数を切り替え、前記負荷の負荷変動率が前記第１負荷変動率よりも大きい第２負荷変動率である場合には、前記電力変換器の出力量が前記第１出力量よりも小さい第２出力量であるときに前記複数の電力変換器の動作数を切り替える処理を実行させる。
【発明の効果】
【０００９】
本発明によれば、低負荷における高効率を実現しつつ、急峻な負荷上昇が生じた際のオーバーロードを防止することができる。
【図面の簡単な説明】
【００１０】
【図１】従来の電源装置に係る負荷変動による単独動作から並列動作への切り替えの一例を示すグラフ
【図２】本発明の実施の形態に係る電源装置の構成例を示すブロック図
【図３】本発明の実施の形態に係る電源装置のＤＳＰの動作例を示すフローチャート
【図４】本発明の実施の形態に係る負荷変動率の一例を示すグラフ
【図５】本発明の変形例に係る電源装置の構成例を示すブロック図
【発明を実施するための形態】
【００１１】
（発明に至った知見）
発明に至った知見について、図１を用いて説明する。図１Ａおよび図１Ｂは、２つの電力変換器を備えた従来の電源装置において、負荷変動（負荷上昇）による単独動作から並列動作への切り替えを示すグラフである。図１Ｂは、図１Ａよりも所定時間単位における負荷変動の割合（以下、負荷変動率という）が大きい（急峻である）場合を示している。負荷変動率は、図１Ａ、図１Ｂに示す直線Ｌの傾きである。
【００１２】
図１Ａおよび図１Ｂにおいて、横軸は時間、縦軸は電力変換器の出力量（すなわち、負荷の大きさ）を示している。また、図１Ａおよび図１Ｂにおいて、Ｔ１は、１つの電力変換器が単独で動作する時間（以下、単独動作時間という）、Ｔ２は、２つの電力変換器が同時に動作する時間（以下、並列動作時間という）、ＳＴは、１つの電力変換器が単独で動作する単独動作から、２つの電力変換器が同時に動作する並列動作への切り替えにかかる時間（以下、切替時間という）を示す。また、図１Ａおよび図１Ｂにおいて、ＭＯは、１つの電力変換器が単独で動作した際の最大出力量を示し、ＴＨ１は、単独動作から並列動作へ切り替える閾値（切替用閾値ともいう）を示す。
【００１３】
図１Ａおよび図１Ｂに示すように、１つの電力変換器の出力量が閾値ＴＨ１を超えた時点から単独動作から並列動作への切り替えが行われる。低負荷での高効率を実現するためには、単独動作時間Ｔ１が長い方がよい。よって、閾値ＴＨ１は、最大出力量ＭＯの近傍に設けることが好ましい。
【００１４】
図１Ａに示すように、負荷変動率が小さい場合（例えば、電力変換器からの電力供給を受ける補機（負荷の一例）の消費電力量が少ない場合）では、負荷変動率が最大出力量ＭＯに至る前に並列動作となる。しかし、図１Ｂに示すように、負荷変動率が大きい場合（例えば、電力変換器からの電力供給を受ける補機の消費電力量が多い場合）では、並列動作に切り替わる前に負荷変動率が最大出力量ＭＯを超えてしまい、オーバーロードが発生する。オーバーロードが発生すると、例えば、電力変換器から電力供給を受ける補機が正常に動作しなくなる。なお、図１Ｂに示すＯＴは、オーバーロードが発生した時間を示す。
【００１５】
このように、従来の電源装置では、単独動作の際に急峻な負荷の上昇が生じると、オーバーロード（過負荷）となるおそれがあった。
【００１６】
そこで、本発明は、低負荷における高効率を実現しつつ、急峻な負荷上昇が生じた際のオーバーロードを防止することを目的とする。
【００１７】
（実施の形態）
以下、本発明の実施の形態について、図面を参照して説明する。
【００１８】
まず、図２を用いて、本実施の形態に係る電源装置１の構成例について説明する。図２は、本実施の形態に係る電源装置１の構成例を示すブロック図である。
【００１９】
図２に示す電源装置１、リチウムイオンバッテリ２、鉛バッテリ３、および補機４は、例えばＨＥＶ（Hybrid Electric Vehicle）に搭載される。
【００２０】
まず、リチウムイオンバッテリ２、鉛バッテリ３、および補機４について説明する。
【００２１】
リチウムイオンバッテリ２は、電源装置１と電気的に接続され、電源装置１へ電力を出力する。リチウムイオンバッテリ２は、例えば、４００Ｖ程度の電圧を有する。
【００２２】
鉛バッテリ３は、電源装置１と電気的に接続され、電源装置１により降圧された電力を充電する。鉛バッテリ３に充電された電力は、例えば、エンジンスタートに使用されたり、補機４の動作に使用されたりする。なお、図２では、鉛バッテリ３は、補機４とは別に図示しているが、鉛バッテリ３を補機と呼んでもよい。
【００２３】
補機４（負荷の一例）は、電源装置１および鉛バッテリ３と電気的に接続され、電源装置１により降圧された電力により動作する機器である。補機４としては、例えば、ワイパー、パワーウィンドウ、電動パワーステアリング、ナビゲーション装置、オーディオ装置、エアコン装置、灯火類、ブレーキアクチュエータ、デフォッガー、ＡＢＳ（Antilock Brake System）などが挙げられる。なお、図２では、補機４を１つだけ図示しているが、補機４は複数あってもよい。また、補機４は、鉛バッテリ３から供給される電力により動作してもよい。
【００２４】
以上、リチウムイオンバッテリ２、鉛バッテリ３、および補機４について説明した。
【００２５】
次に、電源装置１について説明する。
【００２６】
電源装置１は、リチウムイオンバッテリ２、鉛バッテリ３、および補機４と電気的に接続されている。図２に示すように、電源装置１は、ＤＣ／ＤＣコンバータ１１、１２、電流計１３、１４、およびＤＳＰ（Digital Signal Processor）１５を有する。
【００２７】
ＤＣ／ＤＣコンバータ１１とＤＣ／ＤＣコンバータ１２（電力変換器の一例）は、並列に接続されており、リチウムイオンバッテリ２から入力した電力を、例えば１２Ｖ程度に降圧し、鉛バッテリ３へ出力する。
【００２８】
また、ＤＣ／ＤＣコンバータ１１およびＤＣ／ＤＣコンバータ１２は、ＤＳＰ１５と電気的に接続されている。例えば、ＤＣ／ＤＣコンバータ１１およびＤＣ／ＤＣコンバータ１２は、ＤＳＰ１５から出力される制御信号に基づいて降圧を行う。なお、ＤＳＰ１５から制御信号が出力されていない場合、ＤＣ／ＤＣコンバータ１１、ＤＣ／ＤＣコンバータ１２はオフ状態となる。
【００２９】
電流計１３は、ＤＣ／ＤＣコンバータ１１の出力電流を計測し、計測した出力電流を示す信号をＤＳＰ１５へ出力する。
【００３０】
電流計１４は、ＤＣ／ＤＣコンバータ１２の出力電流を計測し、計測した出力電流を示す信号をＤＳＰ１５へ出力する。なお、図１では、説明の簡素化のため、電流計１３、１４をＤＣ／ＤＣコンバータ１１、１２の外部に設ける構成としたが、ＤＣ／ＤＣコンバータ１１、１２がそれぞれ電流計１３、１４を備える構成であってもよい。
【００３１】
ＤＳＰ１５（制御部の一例）は、上述した制御信号をＤＣ／ＤＣコンバータ１１、１２へ出力することにより、ＤＣ／ＤＣコンバータ１１、１２の動作数を切り替える処理（以下、切替処理という）を行う。
【００３２】
例えば、ＤＳＰ１５は、制御信号をＤＣ／ＤＣコンバータ１１へ出力し、かつ、制御信号をＤＣ／ＤＣコンバータ１２へ出力しないことで、ＤＣ／ＤＣコンバータ１１のみを動作させる（単独動作の一例）。
【００３３】
または、例えば、ＤＳＰ１５は、制御信号をＤＣ／ＤＣコンバータ１１へ出力し、かつ、制御信号をＤＣ／ＤＣコンバータ１２へ出力することで、ＤＣ／ＤＣコンバータ１１とＤＣ／ＤＣコンバータ１２の両方を動作させる（並列動作の一例）。
【００３４】
上記切替処理を含むＤＳＰ１５の処理の具体例については、図３のフローチャートを用いて後述する。
【００３５】
以上、電源装置１について説明した。
【００３６】
次に、図３を用いて、電源装置１のＤＳＰ１５の動作例について説明する。図３は、ＤＳＰ１５の動作例を示すフローチャートである。以下では、ＤＣ／ＤＣコンバータ１１のみが動作しているときに図３に示す動作が行われる場合を例に挙げて説明する。
【００３７】
まず、ＤＳＰ１５は、電流計１３からＤＣ／ＤＣコンバータ１１の出力電流を示す信号を受け取り、その出力電流に基づいて補機４の負荷変動率を算出する（ステップＳ１）。この算出には、例えば、時間微分が用いられる。なお、並列動作中の場合、ＤＳＰ１５は、電流計１３、１４のそれぞれから出力電流を示す信号を受け取り、ＤＣ／ＤＣコンバータ１１の出力電流とＤＣ／ＤＣコンバータ１２の出力電流に基づいて負荷変動率を算出する。
【００３８】
次に、ＤＳＰ１５は、算出した負荷変動率が予め定められた判定用閾値以上であるか否かを判定する（ステップＳ２）。
【００３９】
判定用閾値は、予め定められた切替時間（単独動作から並列動作への切り替えにかかる時間）と、予め定められたＤＣ／ＤＣコンバータ１１の最大出力量とに基づいて、予め設定される。例えば、判定用閾値は、切替時間の終了時（並列動作の開始時）にＤＣ／ＤＣコンバータ１１の最大出力量を超えない傾き（換言すれば、切替時間にオーバーロードが発生しない傾き）の負荷変動率である。
【００４０】
ステップＳ２の判定の結果、算出した負荷変動率が判定用閾値以上ではない場合（ステップＳ２：ＮＯ）、フローはステップＳ４へ進む。ステップＳ４については後述する。
【００４１】
一方、ステップＳ２の判定の結果、算出した負荷変動率が判定用閾値以上である場合（ステップＳ２：ＹＥＳ）、ＤＳＰ１５は、予め定められた切替用閾値をより小さい値に変更する（ステップＳ３）。このように切替用閾値を変更することにより、ＤＳＰ１５は、ＤＣ／ＤＣコンバータ１１、１２の動作数を切り替えるタイミングを変更する。
【００４２】
切替用閾値は、単独動作から並列動作へ切り替える閾値である。切替用閾値の一例を図４に示す。図４において、図１Ａおよび図１Ｂと同様に、Ｔ１は単独動作時間、Ｔ２は並列動作時間、ＳＴは切替時間を示す。また、図４に示した負荷変動率（直線Ｌの傾き）は、図１Ｂに示した負荷変動率と同じであるとする。
【００４３】
図４に示すように、変更前の切替用閾値ＴＨ１は、例えば、ＤＣ／ＤＣコンバータ１１の最大出力量ＭＯの近傍において、その最大出力量ＭＯを超えないように設定される。そして、例えば、図４に示すＴ３のタイミングで補機４の消費電力量が増加して急な負荷上昇が生じた場合、タイミングＴ３以降かつ切替時間ＳＴの前の所定のタイミングにおいて負荷変動率が判定用閾値以上である（急峻である）と判定される。そして、変更前の切替用閾値ＴＨ１は、ステップＳ３の処理によって、予め定められた切替用閾値ＴＨ１’に変更される。この変更により、ＤＣ／ＤＣコンバータ１１、１２の動作数を切り替えるタイミングが変更される。
【００４４】
次に、ＤＳＰ１５は、ＤＣ／ＤＣコンバータ１１の出力量が切替用閾値以上であるか否かを判定する（ステップＳ４）。ここでの切替用閾値は、ステップＳ３の処理を経ていない場合、変更前の切替用閾値ＴＨであり、ステップＳ３の処理を経た場合、変更後の切替用閾値ＴＨ’である。
【００４５】
ステップＳ４の判定の結果、ＤＣ／ＤＣコンバータ１１の出力量が切替用閾値以上ではない場合（ステップＳ４：ＮＯ）、フローはステップＳ１へ戻る。
【００４６】
一方、ステップＳ４の判定の結果、ＤＣ／ＤＣコンバータ１１の出力量が切替用閾値以上である場合（ステップＳ４：ＹＥＳ）、ＤＳＰ１５は、単独動作から並列動作に切り替える（ステップＳ５）。具体的には、ＤＳＰ１５は、ＤＣ／ＤＣコンバータ１２に対して、制御信号を出力する。
【００４７】
これにより、図４に示すように、ＤＣ／ＤＣコンバータ１１の出力量が変更後の切替用閾値ＴＨ１’を超えた時点から単独動作から並列動作への切り替えが行われ、ＤＣ／ＤＣコンバータ１１とＤＣ／ＤＣコンバータ１２の出力量が最大出力量ＭＯに到達した時点で並列動作への切り替えが完了する。
【００４８】
以上、電源装置１のＤＳＰ１５の動作例について説明した。
【００４９】
以上説明したように、本実施の形態の電源装置１は、負荷変動率が判定用閾値未満である場合には変更前の切替用閾値を用いることで低負荷における高効率を実現し、負荷変動率が判定用閾値以上である場合にはＤＣ／ＤＣコンバータ１１、１２の動作数を切り替えるタイミングを変更することで急峻な負荷上昇が生じた際のオーバーロードを防止することができる。
【００５０】
以上、本発明の実施の形態について説明したが、本発明は上記実施の形態に限定されず、種々の変形が可能である。以下、変形例について説明する。
【００５１】
（変形例１）
例えば、実施の形態では、ＤＣ／ＤＣコンバータ１１、１２の動作数を切り替えるタイミングを変更するために、切替用閾値を変更する場合を例に挙げて説明したが、これに限定されない。例えば、算出されうる負荷変動率と、ＤＣ／ＤＣコンバータ１１、１２の動作数を切り替えるタイミングとが対応付けられたテーブルを用意し、ＤＳＰ１５が、そのテーブルを参照して、算出した負荷変動率に対応付けられたタイミングに変更するようにしてもよい。
【００５２】
（変形例２）
例えば、図２に示した構成において、リチウムイオンバッテリの代わりとして、例えば、家庭用交流電源を用いてもよい。その場合、ＤＣ／ＤＣコンバータ１１、１２の前段に並列に接続された２つのＡＣ／ＤＣコンバータを備えてもよい。
【００５３】
（変形例３）
例えば、図２に示した構成において、ＤＣ／ＤＣコンバータ１１、１２の代わりとして、例えば、並列に接続された２つのＡＣ／ＤＣコンバータを備えてもよい。
【００５４】
（変形例４）
実施の形態では、ＤＳＰ１５が、算出した負荷変動率が判定用閾値以上であるときに切替用閾値を変更する場合を例に挙げて説明したが、これに限定されない。
【００５５】
例えば、算出されうる負荷変動率と、変更後の切替用閾値とが対応付けられたテーブルを用意し、ＤＳＰ１５が、そのテーブルを参照して、算出した負荷変動率に対応付けられた切替用閾値に変更するようにしてもよい。なお、テーブルに登録される変更後の切替用閾値はいずれも、変更前の切替用閾値よりも小さい値である。
【００５６】
または、例えば、ＤＳＰ１５は、算出した負荷変動率と、予め定められた切替時間とに応じて、切替用閾値を設定してもよい。ここで算出される切替用閾値は、算出した負荷変動率が前回算出した負荷変動率よりも大きいと、前回設定された値よりも小さい値となる。
【００５７】
（変形例５）
例えば、ＤＳＰ１５は、ＤＣ／ＤＣコンバータ１１の出力電流の代わりに、ＤＣ／ＤＣコンバータ１１の出力電圧に基づいて負荷変動率を算出してもよい。
【００５８】
（変形例６）
例えば、ＤＳＰ１５は、補機４から、補機４の動作状況（例えば、動作してるか否か）を示す情報を受け取り、その情報に基づいて負荷変動率を算出してもよい。これにより、ＤＣ／ＤＣコンバータ１１、１２の出力電流に基づいて負荷変動率を算出する場合よりも早く負荷変動率を算出できるため、切替用閾値を早く変更することができる。
【００５９】
（変形例７）
実施の形態では、電源装置１が例えばＨＥＶ（Hybrid Electric Vehicle）に搭載される場合を例に挙げて説明したが、これに限定されない。以下、ＥＶ（Electric Vehicle）またはＰＨＶ（Plug-in Hybrid Vehicle）に搭載される電源装置２０について、図５を用いて説明する。なお、図５において、図２と同じ構成要素には同一符号を付し、その説明は省略する。
【００６０】
図５に示すように、電源装置２０は、家庭用のコンセント５と接続される。また、電源装置２０は、図１に示した構成要素に加えて、並列に接続されたＰＦＣ（Power Factor Correction）１６、１７を有する。ＰＦＣ１６は、コンセント５、ＤＣ／ＤＣコンバータ１１、ＤＳＰ１５と電気的に接続されている。また、ＰＦＣ１７は、コンセント５、ＤＣ／ＤＣコンバータ１２、ＤＳＰ１５と電気的に接続されている。ＰＦＣ１６、１７は、コンセント５の交流電圧を直流電圧に変換する。
【００６１】
電源装置２０のＤＳＰ１５は、実施の形態で説明した図３の動作を行う。よって、本変形例においても、実施の形態と同様の作用効果を得ることができる。
【００６２】
以上、変形例について説明した。上述した変形例は、適宜組み合わせてもよい。
【００６３】
以上、本発明の実施の形態および変形例について図面を参照して詳述してきたが、上述した電源装置１の機能は、コンピュータプログラムにより実現されうる。例えば、ＤＳＰ１５は、所定の記憶装置（図示略）に記憶されたプログラムをＲＡＭ（Random Access Memory。図示略）にコピーし、そのプログラムに含まれる命令をＲＡＭから順次読み出して実行することにより、電源装置１の機能が実現される。また、プログラムを実行する際、ＲＡＭまたは記憶装置には、実施の形態および変形例で述べた各種処理で得られた情報が記憶され、適宜利用される。
【産業上の利用可能性】
【００６４】
本発明は、車両に搭載される電源装置、電源装置の制御方法、および電源装置制御プログラムに有用である。
【符号の説明】
【００６５】
１、２０  電源装置
２  リチウムイオンバッテリ
３  鉛バッテリ
４  補機
５  コンセント
１１、１２  ＤＣ／ＤＣコンバータ
１３、１４  電流計
１５  ＤＳＰ
１６、１７  ＰＦＣ
【図１】
0006660553.tif 000002
【図２】
0006660553.tif 000003
【図３】
0006660553.tif 000004
【図４】
0006660553.tif 000005
【図５】
0006660553.tif 000006